(57)【要約】【課題】本発明は、断熱パネルの切削加工の工程が少なく、断熱パネルを製造するための手間や労力を削減することが出来る屋根の断熱構造を提供することを課題とする。【解決手段】屋根骨格を構成する複数本の縦梁部材の下側において複数本の横梁部材４間に断熱パネル１を挿入し、該断熱パネル１の軒側縁を該横梁部材４の棟側上角部に固定した受材６によって片持ち固定した構成であって、該断熱パネル１の棟側縁面は該横梁部材４の側面に沿う角度θで切落されており、また、該受材６は断熱材料からなり、該受材６の下面には該横梁部材４の棟側上角部を適嵌する嵌合部１２が設けられ、かつ、該受材６の棟側面には該断熱パネル１の軒側縁面の傾斜角度に等しい角度θの受面１３を有する断熱パネル１の軒側縁の受部１４が形成されている屋根の断熱構造を提供する。【選択図】    図２
2004339701.tif 000002
【特許請求の範囲】
【請求項１】
屋根骨格を構成する複数本の縦梁部材の下側において複数本の横梁部材間に断熱パネルを挿入し、該断熱パネルの軒側縁を該横梁部材の棟側上角部に固定した受材によって片持ち固定した構成であって、該断熱パネルの棟側縁面は該横梁部材の側面に沿う角度で切落されており、また、該受材は断熱材料からなり、該受材の下面には該横梁部材の棟側上角部を適嵌する嵌合部が設けられ、かつ、該受材の棟側面には該断熱パネルの軒側縁面の傾斜角度に等しい角度の受面を有する断熱パネルの軒側縁の受部が形成されていることを特徴とする屋根の断熱構造。
【請求項２】
該断熱パネルは該屋根骨格のＣＡＤ図面から所定形状のものを所定個準備して割付けを行なう請求項１に記載の屋根の断熱構造。
【請求項３】
該屋根骨格は隅木部分および／または谷木部分を有し、該隅木部分または該谷木部分にあっては、隅木または谷木の下面に補足材が取付けられ、該断熱パネルは隅木または谷木側において該補足材との間に隙間が生じないようにされている請求項１または請求項２に記載の屋根の断熱構造。
【発明の詳細な説明】
【０００１】
【発明の属する技術分野】
本発明は施工が容易でありかつ断熱効率が高い屋根の断熱構造に関する。
【０００２】
【従来の技術】
従来、屋根の断熱構造としては、垂木などの縦梁部材（２Ｐ）の下側において、棟木や母屋、軒桁などの横梁部材（４Ｐ）間に断熱パネル（１Ｐ）が挿入されたものが一般に提供されている（特許文献１参照）。
該断熱パネル（１Ｐ）は、図１０に示すように、軒側および棟側の両側面をそれぞれ切落した断面平行四辺形形状とされており、棟木や母屋、軒桁などの横梁部材（４Ｐ）の側面に取付け金具（６Ｐ）によって釘打ち固定されている。
また、隅木部分や谷木部分を有する屋根骨格の場合には、隅木（７Ｐ）の下側や谷木の上側において断熱パネル（１Ｐ）が互いに当接することとなる（図１１参照）。
【０００３】
【特許文献１】
特許第３０６５５０５号公報（第２−４頁、第６図、第７図）
【０００４】
【発明が解決しようとする課題】
しかしながら上記従来の構成では、該断熱パネル（１Ｐ）の軒側および棟側の両側面をそれぞれ切落す加工が必要となり、該断熱パネル（１Ｐ）の施工に手間や労力を要するという問題があった。
また、隅木部分や谷木部分を有する屋根骨格の場合、断熱パネル（１Ｐ）が互いに当接する部分において、該断熱パネル（１Ｐ）の納まりがあいまいになり、屋根の断熱構造に欠陥が生じるおそれがあるという問題があった。
更に、このような断熱構造の欠陥を防止するためには、該隅木部分や谷木部分で互いに当接する断熱パネル（１Ｐ）を、その当接する個所の形状に応じて納まりが良くなるように隅木側または谷木側の形状を加工する必要があるが、そのような加工を各断熱パネル（１Ｐ）にそれぞれ施すためには多大な手間や労力を要するという問題があった。
【０００５】
【課題を解決するための手段】
本発明は上記従来の課題を解決するための手段として、屋根骨格を構成する複数本の縦梁部材（２）  の下側において複数本の横梁部材（３，４，５）  間に断熱パネル（１，１Ａ，１Ｂ）  を挿入し、該断熱パネル（１，１Ａ，１Ｂ）  の軒側縁を該横梁部材（３，４，５）  の棟側上角部に固定した受材（６）  によって片持ち固定した構成であって、該断熱パネル（１，１Ａ，１Ｂ）  の棟側縁面は該横梁部材（３，４，５）  の側面に沿う角度θで切落されており、また、該受材（６）  は断熱材料からなり、該受材（６）  の下面には該横梁部材（３，４，５）  の棟側上角部を適嵌する嵌合部（１２）が設けられ、かつ、該受材（６）  の棟側面には該断熱パネル（１，１Ａ，１Ｂ）  の軒側縁面の傾斜角度に等しい角度θの受面（１３）を有する断熱パネル（１，１Ａ，１Ｂ）  の軒側縁の受部（１４）が形成されている屋根の断熱構造を提供するものである。
該断熱パネル（１，１Ａ，１Ｂ）  は該屋根骨格のＣＡＤ図面から所定形状のものを所定個準備して割付けを行なうことが望ましい。
該屋根骨格は隅木部分および／または谷木部分を有し、該隅木部分または該谷木部分にあっては、隅木（７）  または谷木（９）  の下面に補足材（８，１０，１１）  が取付けられ、該断熱パネル（１Ａ，１Ｂ）  は隅木側または谷木側において該補足材（８，１０，１１）  との間に隙間が生じないようにされていることが望ましい。
【０００６】
【作用】
本発明の屋根の断熱構造では、断熱パネル（１，１Ａ，１Ｂ）  の棟側縁面のみを横梁部材の側面に沿う角度θで、すなわち垂直に切落せばよいため、断熱パネル（１，１Ａ，１Ｂ）  の切削加工の工程が少なくなる。また、該断熱パネル（１，１Ａ，１Ｂ）  を片持ち固定する受材（６）  が断熱材料からなるため、屋根の断熱構造に欠陥部がなく、したがって、屋根の断熱効率が非常に良好である。
【０００７】
【発明の実施の形態】
本発明を図１〜図９に示す一実施例によって説明する。本実施例では、図１に示すような寄棟の屋根に断熱パネル（１，１Ａ，１Ｂ）  を取付ける場合を例示する。
図２および図３に示すように、断熱パネル（１）  は、屋根骨格を構成する垂木（２）  などの複数本の縦梁部材の下側において、棟木（３）  や母屋（４）  、軒桁（５）  などの複数本の横梁部材間に挿入されており、該断熱パネル（１）  の軒側縁は、該棟木（３）  や母屋（４）  、軒桁（５）  などの横梁部材の棟側上角部に固定されている受材（６）  によって片持ち固定されており、また、該断熱パネル（１）  の棟側縁面は、該棟木（３）  や母屋（４）  、軒桁（５）  などの横梁部材の軒先側の側面に沿う角度θで、すなわち垂直に切落されている。
【０００８】
また、図４および図５に示すように、隅木部分に取付けられる断熱パネル（１Ａ）は、隅木（７）  に沿うように角部が切落されて、三角形または台形の形状とされており、該断熱パネル（１Ａ）の隅木側縁面は、該隅木（７）  の下面に取付けられている隅木補足材（８）  の側面に沿う角度θで、すなわち垂直に切落されている。
【０００９】
更に、図６および図７に示すように、谷木部分に取付けられる断熱パネル（１Ｂ）は、谷木（９）  に沿うように角部が切落されて、三角形または台形の形状とされており、該断熱パネル（１Ｂ）の谷木側縁面は、該谷木（９）  の下面に取付けられている谷木第一補足材（１０）の側面に沿う角度θで、すなわち垂直に切落されており、また、該谷木第一補足材（１０）の下面には谷木第二補足材（１１）が取付けられている。
【００１０】
該断熱パネル（１，１Ａ，１Ｂ）  の材料としては、例えばポリスチレン発泡体、ポリエチレン発泡体、ポリプロピレン発泡体、ポリスチレン−ポリエチレン発泡体、メラミン樹脂発泡体、フェノール樹脂発泡体、ウレタン樹脂発泡体等のプラスチック発泡体が使用される。
【００１１】
該断熱パネル（１，１Ａ，１Ｂ）  を片持ち固定する受材（６）  は断熱材料からなり、図８に示すように、該受材（６）  の下面には該横梁部材の棟側上角部を適嵌する嵌合部（１２）が設けられており、該受材（６）  の棟側面には該断熱パネル（１，１Ａ，１Ｂ）  の軒側縁面の傾斜角度に等しい角度θの受面（１３）を有する断熱パネル（１，１Ａ，１Ｂ）  の軒側縁の受部（１４）が形成されている（図２および図３参照）。
【００１２】
該隅木補足材（８）  や該谷木第一補足材（１０）、該谷木第二補足材（１１）の材料としては、例えばポリスチレン発泡体、ポリエチレン発泡体、ポリプロピレン発泡体、ポリスチレン−ポリエチレン発泡体、メラミン樹脂発泡体、フェノール樹脂発泡体、ウレタン樹脂発泡体等のプラスチック発泡体が使用される。
【００１３】
断熱パネル（１，１Ａ，１Ｂ）  の取付け施工を行なう場合には、まず、ＣＡＤソフトによって断熱パネル（１，１Ａ，１Ｂ）  の割付けを行なって、予め、該屋根骨格のＣＡＤ図面から所定形状・所定寸法の断熱パネル（１，１Ａ，１Ｂ）  を、それぞれ所定個（必要個数）準備する（図１参照）。この場合、断熱パネル（１，１Ａ，１Ｂ）  の切削加工は、ＣＡＤデータに基づいてＮＣ制御された切削工作機によって行なうことが望ましい。
そして、棟木（３）  や母屋（４）  、軒桁（５）  などの横梁部材および隅木（７）  や谷木（９）  を組み上げて、主要な部分の垂木（２）  を取付けた状態で、まず、隅木部分や谷木部分において断熱パネル（１Ａ，１Ｂ）  の取付けを行ない（図４および図６参照）、その後、その他の部分において断熱パネル（１）  の取付けを行なう（図２参照）。
【００１４】
断熱パネル（１，１Ａ，１Ｂ）  を取付ける場合には、まず、母屋（４）  や軒桁（５）  などの横梁部材の棟側上角部に受材（６）  を釘打ち固定し、断熱パネル（１，１Ａ，１Ｂ）  を棟木（３）  や母屋（４）  、軒桁（５）  などの複数本の横梁部材間に挿入して、該受材（６）  によって片持ち固定する（図２および図３参照）。
この場合、断熱パネル（１，１Ａ，１Ｂ）  の棟側縁面は、該棟木（３）  や母屋（４）  、軒桁（５）  などの横梁部材の側面に沿う角度θで切落されているため、断熱パネル（１，１Ａ，１Ｂ）  の棟側側面において、断熱パネル（１，１Ａ，１Ｂ）  と棟木（３）  や母屋（４）  との間に隙間を生じることなく、適合した状態で断熱パネル（１，１Ａ，１Ｂ）  を取付けることができる。
また、該受材（６）  の下面の嵌合部（１２）は、母屋（４）  や軒桁（５）  の棟側上角部に適嵌しているため、母屋（４）  や軒桁（５）  に該受材（６）  を安定に取付けることが出来る。
更に、該受材（６）  の棟側側面には断熱パネル（１，１Ａ，１Ｂ）  の軒側縁の受部（１４）が形成されており、該受部（１４）の受面（１３）は該断熱パネル（１，１Ａ，１Ｂ）  の軒側縁面の傾斜角度に等しい角度θとされているため、断熱パネル（１，１Ａ，１Ｂ）  は、軒側縁面の切落し加工をする必要がなく、棟側縁面の切落し加工をするだけで、該受材（６）  の受部（１４）によって確実に支持することが出来る。
【００１５】
また、隅木部分に取付けられる断熱パネル（１Ａ）は、隅木（７）  に沿うように角部が切落されて、三角形または台形の形状とされており、該断熱パネル（１Ａ）の隅木側縁面は、該隅木補足材（８）  の側面に沿う角度θで切落されているため、断熱パネル（１Ａ）の隅木側側面において、断熱パネル（１Ａ）と隅木補足材（８）  との間に隙間が生じることがない（図４および図５参照）。
【００１６】
更に、谷木部分に取付けられる断熱パネル（１Ｂ）は、谷木（９）  に沿うように角部が切落されて、三角形または台形の形状とされており、該断熱パネル（１Ｂ）の谷木側縁面は、該谷木第一補足材（１０）の側面に沿う角度θで切落されているため、断熱パネル（１Ｂ）の谷木側側面において、断熱パネル（１Ｂ）と谷木第一補足材（１０）との間に隙間が生じることがない（図６および図７参照）。
【００１７】
そして、取付けられた断熱パネル（１，１Ａ，１Ｂ）  相互間に、気密テープ（１５）を貼着する（図２参照）。このように断熱パネル（１，１Ａ，１Ｂ）  相互間に気密テープ（１５）を貼着することによって、断熱パネル（１，１Ａ，１Ｂ）  相互間の隙間をなくして、断熱パネル（１，１Ａ，１Ｂ）  相互間の気密性を向上させて、断熱効率が低下するのを抑制することが出来る。
【００１８】
最後に、取付けられた断熱パネル（１，１Ａ，１Ｂ）  上に残りの垂木（２）  を取付け、該垂木（２）  上に野地面材（図示せず）を取付け、防水紙（図示せず）、瓦（図示せず）を葺設する。このように、断熱パネル（１，１Ａ，１Ｂ）  上に取付けた垂木（２）  によって上側から断熱パネル（１，１Ａ，１Ｂ）  を押さえつけることにより、断熱パネル（１，１Ａ，１Ｂ）  の固定を確実にするとともに、断熱パネル（１，１Ａ，１Ｂ）  と受材（６）  との気密性または断熱パネル（１，１Ａ，１Ｂ）  と棟木（３）  や母屋（４）  との気密性を向上させて、断熱効率が低下するのを抑制することが可能となる。
【００１９】
なお、図９に示すように、軒桁（５）  や母屋（４）  が小屋梁（１６）と交差する部分において断熱パネル（１，１Ａ，１Ｂ）  を取付ける場合には、小屋梁（１６）と干渉する部分を切落した受材（１７）を使用するとともに、小屋梁（１６）と干渉する部分を切落したものを使用する（図示せず）。
【００２０】
上記のようにして断熱パネル（１，１Ａ，１Ｂ）  の取付け施工を行なうことによって、断熱パネル（１，１Ａ，１Ｂ）  の棟側縁面のみを、棟木（３）  や母屋（４）  、軒桁（５）  などの横梁部材の側面に沿う角度θで、すなわち垂直に切落せばよいため、断熱パネル（１，１Ａ，１Ｂ）  の切削加工の工程が少なくなり、断熱パネル（１，１Ａ，１Ｂ）  を製造するための手間や労力を削減することが出来る。
【００２１】
また、該断熱パネル（１，１Ａ，１Ｂ）  を片持ち固定する受材（６）  は、断熱材料からなるため、屋根の断熱構造に欠陥部がなく、したがって、屋根の断熱効率が非常に良好に保つことが出来る。
【００２２】
更に、垂木（２）  上に載置される野地面材（図示せず）と断熱パネル（１，１Ａ，１Ｂ）  との間に垂木（２）  分の間隙が設けられ、該間隙の空気層によって屋根の断熱効率を更に向上させることが出来る。
【００２３】
また更に、ＣＡＤソフトによって断熱パネル（１，１Ａ，１Ｂ）  の割付けを行なって、予め、該屋根骨格のＣＡＤ図面から所定形状の断熱パネル（１，１Ａ，１Ｂ）  を所定個準備することによって、断熱パネル（１，１Ａ，１Ｂ）  の割付けおよび取付け施工を、簡単にかつ迅速に行なうことが出来る。
この場合、ＣＡＤデータに基づいてＮＣ制御された切削工作機によって断熱パネル（１，１Ａ，１Ｂ）  の切削加工を行なうことによって、高い精度での切削加工を簡単にかつ迅速に行なうことが可能となる。
【００２４】
更に、屋根骨格の隅木部分または谷木部分においては、隅木（７）  または谷木（９）  の下面に隅木補足材（８）  や谷木第一補足材（１０）、谷木第二補足材（１１）が取付けられており、該断熱パネル（１Ａ，１Ｂ）  は隅木側または谷木側において該補足材（８，１０，１１）  との間に隙間が生じないようにされているため、該隅木部分や該谷木部分における断熱パネル（１Ａ，１Ｂ）  の納まりが良好になり、断熱構造に欠陥が生じることがない。
そのため、従来のような納まりを良くするための加工を各断熱パネル（１Ａ，１Ｂ）  に別途施す必要がなくなり、該断熱パネル（１Ａ，１Ｂ）  の設計を定形化することが可能となり、したがって、断熱パネル（１，１Ａ，１Ｂ）  の割付けのＣＡＤ化が非常に容易となる。
【００２５】
以上、本発明の実施の形態を実施例により説明したが、本発明の範囲はこれらに限定されるものではなく、請求項に記載された範囲内において目的に応じて変更・変形することが可能である。
例えば、本実施例以外、本発明の屋根の断熱構造は、切妻、入母屋などの屋根にも用いることが出来る。また、該断熱パネル（１，１Ａ，１Ｂ）  を曲面状に成形すればドーム形状の屋根にも用いることが可能となる。
【００２６】
【発明の効果】
本発明では、断熱パネルの棟側縁面のみを横梁部材の側面に沿う角度で、すなわち垂直に切落せばよいため、断熱パネルの切削加工の工程が少なくなり、断熱パネルを製造するための手間や労力を削減することが出来る。
【図面の簡単な説明】
図１〜図９は本発明の一実施例を示すものである。
【図１】断熱パネルを割付けた状態を示す説明平面図である。
【図２】断熱パネルを取付けた状態を示す説明斜視図である。
【図３】断熱パネルを取付けた状態を示す説明側断面図である。
【図４】隅木部分において断熱パネルを取付ける様子を示す説明斜視図である。
【図５】隅木部分において断熱パネルを取付けた状態を示す説明側断面図である。
【図６】谷木部分において断熱パネルを取付ける様子を示す説明斜視図である。
【図７】谷木部分において断熱パネルを取付けた状態を示す説明側断面図である。
【図８】受材の斜視図である。
【図９】小屋梁部分において受材を取付けた状態を示す説明斜視図である。
【図１０】従来例の断熱パネルを取付けた状態を示す説明側断面図である。
【図１１】従来例において隅木部分に断熱パネルを取付けた状態を示す説明側断面図である。
【符号の説明】
１，１Ａ，１Ｂ      断熱パネル
２            縦梁部材（垂木）
３，４，５        横梁部材（棟木、母屋、軒桁）
６            受材
１２          嵌合部
１３          受面
１４          受部
【図１】
2004339701.tif 000003
【図２】
2004339701.tif 000004
【図３】
2004339701.tif 000005
【図４】
2004339701.tif 000006
【図５】
2004339701.tif 000007
【図６】
2004339701.tif 000008
【図７】
2004339701.tif 000009
【図８】
2004339701.tif 000010
【図９】
2004339701.tif 000011
【図１０】
2004339701.tif 000012
【図１１】
2004339701.tif 000013